(57)【要約】【課題】使用位置と収納位置との変更が円滑に行えると共に、特定のドル箱に限らず適用範囲の広い汎用性のあるホルダーを提供する。【解決手段】遊技機Ｐの受皿９の近傍で遊技媒体受箱Ｄを保持するホルダーＨにおいて、受皿９の下方に配置するピボット７の回りに揺動して、受皿９に対する前方突出量を大とする使用位置とその突出量を小とする収納位置とに位置変更可能な第１保持部１と、使用位置にある第１保持部１と異なる位置において遊技媒体受箱Ｄと接触して第１保持部１での保持を補完する第２保持部２とを有する。【選択図】図８
2006346249.tif 000002
【特許請求の範囲】
【請求項１】
遊技機の受皿の近傍で遊技媒体受箱を保持する遊技媒体受箱ホルダーにおいて、
受皿の下方に配置するピボットの回りに揺動して、受皿に対する前方突出量を大とする使用位置と前記突出量を小とする収納位置とに位置変更可能な第１保持部と、
使用位置にある前記第１保持部と異なる位置において遊技媒体受箱と接触して前記第１保持部での保持を補完する第２保持部とを有することを特徴とする遊技媒体受箱ホルダー。
【請求項２】
前記第１保持部と前記第２保持部とは受皿の幅方向一側と他側に変位させて配置していると共に、前記第１保持部は、前記第２保持部との変位量を縮小する向きに付勢した可動部材に前記ピボットを介して支持している請求項１記載の遊技媒体受箱ホルダー。
【請求項３】
前記第１保持部と前記第２保持部とは受皿の幅方向一側と他側に変位させて配置していると共に、前記第１保持部は、前記ピボットをもつ揺動部材に前記第２保持部との変位量を縮小する向きに付勢した状態で移動可能に支持している請求項１記載の遊技媒体受箱ホルダー。
【請求項４】
前記第１保持部と前記第２保持部とは受皿の幅方向一側と他側に変位させて配置していると共に、前記第１保持部は、前記第２保持部との変位量を縮小する向きに付勢した状態で前記ピボットの回りに揺動して前記第２保持部との間で長スパン挟持幅を形成する主アームと、前記第２保持部との変位量を縮小する向きに付勢した状態で前記主アームと独立して揺動して前記第２保持部との間で短スパン挟持幅を形成する副アームとをもつ請求項１記載の遊技媒体受箱ホルダー。
【請求項５】
前記第１保持部は、使用位置において遊技媒体受箱の底面に斜めに横切って対面すると共に使用位置から収納位置に向く回転付勢力が付与され、前記第２保持部は、前記第１保持部の反ピボット側において該第１保持部と一体に連続すると共に遊技媒体受箱の側面に対面する構造をもつ請求項１記載の遊技媒体受箱ホルダー。
【発明の詳細な説明】
【技術分野】
【０００１】
本発明は、パチンコ屋やゲームセンター等に設置される遊技機の受皿からメダルや玉等の遊技媒体をドル箱等と称する遊技媒体受箱に移し替える際に役立つ遊技媒体受箱ホルダーに関する。
【背景技術】
【０００２】
従来、特許文献１記載のように、遊技機の受皿の裏面に断面Ｌ字形を呈する左右一対のレールを固定的又は幅変更可能に取付け、このレールにドル箱の左右上端鍔を挟み込み、ドル箱自体を前後に引出し自在にしたり、前記レールに板状のテーブルを挟み込み、前に引出したテーブルの上にドル箱を載置させたり、前記レールに代えて左右一対の伸縮自在なロッドを設け、引出した左右のロッドにドル箱を係合させるものが提案されている。
【特許文献１】特開２００４−１５９７８２号公報
【発明の開示】
【発明が解決しようとする課題】
【０００３】
しかし、受皿の裏面と遊技機設置設備側の島台との間隔は、特にパチスロタイプの遊技機にあっては極端に小さいため、受皿の裏面にドル箱自体を引出し式にすることは現実的ではない。また、テーブルを左右のレールに沿って引出すものは、左右何れについても引っ掛かりのない円滑な動きを補償し難く、引出し及び又は収納がし辛いものとならざるを得ない。更に、伸縮ロッドを含めて前後引出し式のものは、結局、ドル箱の保持部分となる前方引出し長が、せいぜい受皿の奥行寸法以下に止まり、長辺に比べて短辺が極端に短い特定形状のドル箱の保持は可能としても、短辺が受皿奥行よりも長い標準的なドル箱を保持し難く、汎用性がない問題もある。
【０００４】
本発明では、使用位置と収納位置との変更が円滑に行えると共に、特定のドル箱に限らず適用範囲の広い汎用性のある遊技媒体受箱ホルダーを提供することを課題とする。
【課題を解決するための手段】
【０００５】
請求項１記載の発明は、図１〜１８に例示するように、遊技機Ｐの受皿９の近傍で遊技媒体受箱Ｄを保持する遊技媒体受箱ホルダーＨにおいて、受皿９の下方に配置するピボット７の回りに揺動して、受皿９に対する前方突出量を大とする使用位置と前記突出量を小とする収納位置とに位置変更可能な第１保持部１と、使用位置にある前記第１保持部１と異なる位置において遊技媒体受箱Ｄと接触して前記第１保持部１での保持を補完する第２保持部２とを有する特定事項をもつ。
【０００６】
請求項２記載の発明は、図１〜１０に例示するように、前記第１保持部１と前記第２保持部２とは受皿９の幅方向一側と他側に変位させて配置していると共に、前記第１保持部１は、前記第２保持部２との変位量を縮小する向きに付勢した可動部材３に前記ピボット７を介して支持している特定事項をもつ。
【０００７】
請求項３記載の発明は、図１１〜１３に例示するように、前記第１保持部１と前記第２保持部２とは受皿９の幅方向一側と他側に変位させて配置していると共に、前記第１保持部１は、前記ピボット７をもつ揺動部材７０に前記第２保持部２との変位量を縮小する向きに付勢した状態で移動可能に支持している特定事項をもつ。
【０００８】
請求項４記載の発明は、図１４〜１６に例示するように、前記第１保持部１と前記第２保持部２とは受皿９の幅方向一側と他側に変位させて配置していると共に、前記第１保持部１は、前記第２保持部２との変位量を縮小する向きに付勢した状態で前記ピボット７の回りに揺動して前記第２保持部２との間で長スパン挟持幅を形成する主アーム１１０と、前記第２保持部２との変位量を縮小する向きに付勢した状態で前記主アーム１１０と独立して揺動して前記第２保持部２との間で短スパン挟持幅を形成する副アーム１２０とをもつ特定事項をもつ。
【０００９】
請求項５記載の発明は、図１７，１８に例示するように、前記第１保持部１は、使用位置において遊技媒体受箱Ｄの底面に斜めに横切って対面すると共に使用位置から収納位置に向く回転付勢力が付与され、前記第２保持部２は、前記第１保持部１の反ピボット側において該第１保持部１と一体に連続すると共に遊技媒体受箱Ｄの側面に対面する構造をもつ特定事項をもつ。
【発明の効果】
【００１０】
請求項１記載の発明によれば、第１保持部はピボットの回りに揺動し、回転動作により使用位置と収納位置とに位置変更されるため、その動きを円滑にでき、遊技者の使い勝手を向上できると共に店員による速やかな片付けが可能になる。また、第１保持部は揺動により受皿の裏面に収納できるため、第１保持部の前方突出量を受皿の奥行寸法以上にとることができ、使用位置における遊技媒体受箱との接触長を十分に確保することができ、異なる位置において接触する第２保持部による保持の補完と相俟って、標準的な遊技媒体受箱を良好に保持することができ、汎用性を高め得る。
【００１１】
請求項２記載の発明によれば、可動部材の動きにより、第１保持部と第２保持部との間隔を変更でき、幅寸法の異なる遊技媒体受箱を良好に受入れることができ、汎用性を効果的に高め得る。また、遊技媒体受箱の保持に際し、該受箱の一端を第２保持部に当てがい、ラフな間隔に位置させた第１保持部にもう一端を押し込むことにより、可動部材の付勢に抗した間隔の拡大又は可動部材の付勢に応じた間隔の縮小が適宜なされて、保持に適当な間隔に容易に補正し得るため、ワンタッチ的な作業により遊技媒体受箱を保持させることもできる。
【００１２】
請求項３記載の発明によれば、揺動部材に対する第１保持部の移動により、第１保持部と第２保持部との間隔を変更でき、幅寸法の異なる遊技媒体受箱を良好に受入れることができ、汎用性を効果的に高め得る。また、遊技媒体受箱の保持に際し、該受箱の一端を第２保持部に当てがい、揺動部材の揺動により前方に突出させた第１保持部にもう一端を押し込むことにより、該第１保持部に働く付勢力に抗した間隔の拡大又は同付勢力に応じた間隔の縮小が適宜なされて、保持に適当な間隔に容易に補正し得るため、ワンタッチ的な作業により遊技媒体受箱を保持させることもできる。
【００１３】
請求項４記載の発明によれば、第１保持部の主アームと第２保持部とにより長スパン挟持幅を形成することにより、大きめの遊技媒体受箱を保持でき、第１保持部の副アームと第２保持部とにより短スパン挟持幅を形成することにより、小さめの遊技媒体受箱を保持できる。このように主アーム、副アームの揺動動作のみで複数種類の遊技媒体受箱を保持でき、汎用性を高め得る。
【００１４】
請求項５記載の発明によれば、第１保持部と第２保持部との一体物により遊技媒体受箱を受皿の前に抱き抱えるように保持できる。このとき、遊技媒体受箱の底面は斜めに横切る第１保持部に対面し、遊技媒体受箱の奥行方向短辺は第１保持部の傾斜角の可変範囲内で柔軟に受入られ、構造簡易でありながら、汎用性を効果的に高め得る。
【発明を実施するための最良の形態】
【００１５】
図１は、本発明を適用するパチスロＰであり、島台Ｇに横方向に多数並べて設置している。キャビネット８の上から、遊技状態表示器８Ａ、フロントスピーカ８Ｂ、演出用液晶表示器８Ｃ、リールパネル８Ｄ、スイッチ類設置部８Ｅ、腰部パネル８Ｆ、灰皿８Ｇ、メダル受皿９を備える。リールパネル８Ｄの表示窓Ｗの内方には、左中右３本のリールＬ，Ｃ，Ｒを具備し、それぞれ上中下３つの図柄を窓越しにはっきりと臨ませている。スイッチ類設置部８Ｅには、メダル投入口Ｊ、クレジットメダルから掛けメダルを投入するベットスイッチＢ、クレジットメダルをメダル受皿９に落す精算ボタンＯ、リールを一斉回転させるスタートレバーＳ、各リールを個別停止させるストップボタンＸ，Ｙ，Ｚ、投入メダル詰り時に押すメダル返却ボタンＵ、ドアキーＫを備える。９９は受皿補強腕である。
【００１６】
Ｅ１は中央入賞ラインＬ１が有効になる掛けメダル１枚状態表示ランプ、Ｅ２は上下入賞ラインＬ２も有効になる掛けメダル２枚状態表示ランプ、Ｅ３は斜め入賞ラインＬ３も有効になる掛けメダル３枚状態表示ランプＥ３である。１〜３枚掛けで１ゲームが行え、有効な入賞ラインに所定の図柄の並びが得られると、所定枚数のメダルを獲得でき、メダル払出口９０から受皿９にメダルが払出される。セブン図柄「七」の三つ揃いにより所謂ビッグボーナスゲームに移行し、短時間のうちに４００枚を超えるメダルを獲得できる。
【００１７】
受皿９の底部裏面には本発明遊技媒体受箱ホルダーＨを取付けている。受皿９は、メダル投入口Ｊからの投入メダルを含めて内蔵メダル払出装置のホッパーにストックしたメダルを払出口９０から受取る物理的配置関係から、キャビネット８の下部に位置され、受皿９の底部裏面と島台Ｇとの間隙は２ｃｍ前後と小さい。遊技媒体受箱ホルダーＨは、この小間隙内に収まる薄形に形成しており、受皿９の左右に変位させた第１保持部１及び第２保持部２を有し、これらに遊技媒体受箱たるドル箱Ｄの把持部Ｄ１，Ｄ２を係合させている。受皿９がメダルで一杯になると、適宜ドル箱Ｄに移し替え、満杯のドル箱Ｄは足元に置かれる。一つのドル箱Ｄには１０００〜１５００枚程度のメダルを収容でき、遊技を止める際は、１枚残らずドル箱Ｄにメダルを移し、景品交換所等に持ち込む。
【実施例１】
【００１８】
図２〜４に示すように、左側の第１保持部１は、受皿９の奥行より長い所定厚みのレバー形を呈し、スプリング３０にて右方に付勢したスライド式の可動部材３に該可動部材３に一体化するピン形のピボット７を介して支持し、前方に突出させた使用位置と奥に退避させた収納位置とに位置変更可能にしている。第１保持部１は、ピボット７の嵌合側に可動部材３との接触面積を拡大する「く」の字形の屈曲部１１を、反ピボット側に先細りする先端ガイド部１２を、内側に面取り部１３を備える。
【００１９】
可動部材３は、前方小幅部３１と後方広幅部３２とを一体に備え、上部に第１保持部１の屈曲部１１を受入れ且つその側面接触部１４を当てる凹所３３を設けている。この可動部材３は、左矩形ベース５１及び右変形ベース５２で支持するＵ字形ロッド６の平行バー６１，６２に、若干の遊びを許すガイド穴３４，３５を介して挿入している。スプリング３０は前方平行バー６１のみに介在させ、第１保持部１による左方移動と良好に対抗できるようにしている。前方平行バー６１の上部には凹部６３を複数並設しており、第１保持部１の裏面に設ける半球状の凸部１５を係止させ、可動部材３の右方自由端側への復帰を阻止している。第１保持部１の収納位置では、凸部１５は可動部材３の低位段部３６に設ける凹穴３７に受入れる。ツマミ３８付きストッパーネジ３９を締込むことにより、可動部材３を所定位置に止めることもできる。６４は可動部材３の右動規制リングである。
【００２０】
左右のベース５１，５２の高さ範囲内で全構成部品は収まり、取付用穴５３，５４にボルト５５，５６を通して受皿９側又は島台Ｇ側何れにも取付け可能にしている。受皿９側に予め取付けていても、キャビネット８の底部を島台や床に直置きすることもできる。
【００２１】
図５〜７に示すように、右側の第２保持部２は、第１保持部１と対称な屈曲部２１、先端ガイド部２２、面取り部２３をもつレバー形を呈し、固定ベース４にピン形のピボット７Ｐを介して支持し、前方に突出させた使用位置と奥に退避させた収納位置とに位置変更可能にしている。固定ベース４には第２保持部２の屈曲部２１を受入れる凹所４３を設けていると共に、該凹所４３より低位の段部４６に、第２保持部２の裏面に設ける半球状の凸部２５を使用位置又は収納位置にて各受入れる凹穴４５，４７を設けている。固定ベース４の高さ範囲内で全構成部品は収まり、取付用穴４８にボルト４９を通して受皿９側又は島台Ｇ側何れにも取付け可能にしている。尚、第２保持部２は、第１保持部１と同様にスプリングにて付勢する可動部材に支持してもよい。
【００２２】
図８に示すように、使用時は、各保持部１，２を観音開きし、ドル箱Ｄを前方又は上方から押し込む。ドル箱Ｄの右把持部Ｄ２は固定側の第２保持部２に係止される。左側では、ドル箱Ｄの横幅に応じて、第１保持部１が可動部材３を押しながらスプリング３０に抗して移動し、左把持部Ｄ１はその移動位置で係止される。収納時は、第１保持部１を跳ね上げて凸部１５の凹部６３への係止を外し、第２保持部２との変位が最小となる右方自由端側に復帰させ、且つ、各保持部１，２を奥に収納して、先端ガイド部１２，２２のみを受皿９の前に臨ませる。
【００２３】
図９に示すように、使用位置では、ドル箱Ｄは受皿９の前方やや下方において口を開き、受皿９から円滑にメダルを移し替えることができる。尚、各保持部１，２に、ドル箱Ｄの左右把持部Ｄ１，Ｄ２を保持させる他、ドル箱Ｄの左右上端鍔部分を保持させるようにしてもよい。
【００２４】
図１０に示すように、ホルダーＨの各ベース４，５１，５２は、受皿９の底部裏面ではなく、島台Ｇの上面に取付けてもよい。このようにすると、遊技機の入替えに影響されることなく、恒常的にホルダーＨを使用できる。島台Ｇの前端が受皿９の前端からかなり奥に位置される場合は、必要に応じて取付け用アタッチメントＡを介在させてもよい。
【実施例２】
【００２５】
図１１〜１３に示すものは、受皿９の裏面に突設したピボット７に基端ボス筒７００を嵌合させ且つ先端操作部７１にて揺動されるレバー形の揺動部材７０を備える。第１保持部１は、丸みを帯びた矩形のロッド本体１６、前方開放形のコ字形凹溝１７、スプリング嵌合ピン１８、基部支持腕１９を備え、揺動部材７０のスプリング嵌合ピン７２との間に掛渡すスプリング３００にて右向きに付勢した状態で、揺動部材７０にボルト７３止めしたスライドガイド７４の長穴７５に基部支持腕１９に固定するガイドピン１０をスライド自由に受入れている。使用位置では、揺動部材７０の下部係止凹部７６を受皿９の裏面左寄りに固定する使用位置フック７７に係止させ、収納位置では、下部係止凹部７６を右寄りの収納位置フック７８に係止させる。第２保持部２は、前方突出長のやや短いロッド本体２６にコ字形凹溝２７を備え、基部固定腕２９をボルト４９ａ，４９ｂにて受皿９に固定している。
【００２６】
使用時は、収納位置フック７８から下部係止凹部７６を離脱させ、揺動部材７０を時計方向に９０度回転させて、使用位置フック７７に下部係止凹部７６を係止させる。この状態で、前に大きく突出した長尺な第１保持部１及び短尺な第２保持部２の各凹溝１７，２７にドル箱Ｄの左右上端鍔部分を差し込む。このとき、第１保持部１は、適宜左右に移動して所定位置に調整され、ドル箱Ｄを良好に保持できる。尚、各保持部１，２の間にドル箱Ｄの左右側面又は左右把持部を保持させてもよいし、各保持部１，２の上面にドル箱Ｄの底面を載置させてもよい。又、第２保持部２は、実施例１と同様に第１保持部１と同じ突出長とし、揺動動作にて収納可能にしてもよい。
【実施例３】
【００２７】
図１４〜１６に示すものは、第１保持部１を、スプリング３０１にて反時計方向に付勢した状態で受皿９の裏面に突設したピボット７の回りに揺動させ、第２保持部２との間で長スパン挟持幅（図１４）を形成する「へ」の字形の主アーム１１０と、副スプリング３０２にて反時計方向に付勢した状態で主アーム１１０上に突設した副ピボット７９の回りに独立して揺動させ、第２保持部２との間で短スパン挟持幅（図１５）を形成する「く」の字形の副アーム１２０とから成る。スプリング３０１は、受皿９側の係止ピン９１と主アーム１１０側の係止穴１１１との間に掛渡している。副スプリング３０２は、副ピボット７９を挟んで両アーム１１０，１２０の係止穴１１２，１２２間に掛渡している。１１３は主アーム１１０上に突設する副アーム１２０の揺動規制凸部である。９２は受皿９の裏面に突設した収納位置規制ピンである。
【００２８】
このものでは、大きいドル箱Ｄｂ（図１４）及び小さいドル箱Ｄｓ（図１５）を、そのドル箱の左右上端鍔部分を第１保持部１のアーム１１０，１２０及び第２保持部２の上に載せた状態で良好に挟んで保持できると共に、主アーム１１０の先端部と副アーム１２０の屈曲部との併用により任意の中間の大きさのドル箱Ｄｍ（図１６）も保持できる。
【実施例４】
【００２９】
図１７，１８に示すものは、受皿９の裏面に突設したピボット７に基端ボス筒７０１を嵌合し、ドル箱Ｄの底面に沿って斜めに延びる第１保持部１及びその水平端においてドル箱Ｄの側面に沿って立上がる第２保持部２を一体化した１本のＬ字形の揺動部材７０Ｈにより遊技媒体受箱ホルダーＨを構成している。受皿９側の係止ピン９４と揺動部材７０Ｈ側の係止穴１１４との間に短縮方向の復帰力が働くスプリング３０３を掛渡し、第２保持部２が受皿９の右寄り前端に当る収納位置に常時引寄せる構成にしている。第１保持部１にはドル箱Ｄの底面端部を受止めるクビレ部１００を設けている。第２保持部２の先端には丸形の操作部２００を設けている。使用時は、揺動部材７０Ｈによりドル箱Ｄを挟むだけである。
【図面の簡単な説明】
【００３０】
【図１】本発明遊技媒体受箱ホルダーを適用した遊技機の正面図。
【図２】実施例１に係る第１保持部周辺の平面図。
【図３】同正面図。
【図４】図２のＡ１−Ａ１断面図。
【図５】実施例１に係る第２保持部周辺の平面図。
【図６】同正面図。
【図７】図５のＡ２−Ａ２断面図。
【図８】実施例１の使用状態の平面図。
【図９】実施例１の使用状態の側面図。
【図１０】実施例１の使用状態の変更仕様を示す側面図。
【図１１】実施例２の平面図。
【図１２】実施例２の正面図。
【図１３】図１１のＡ３矢視側面図。
【図１４】実施例３の長スパン挟持幅状態の平面図。
【図１５】実施例３の短スパン挟持幅状態の平面図。
【図１６】実施例３の中間スパン挟持幅状態の平面図。
【図１７】実施例４の平面図。
【図１８】実施例４の正面図。
【符号の説明】
【００３１】
Ｐ；遊技機、Ｈ；遊技媒体受箱ホルダー、Ｄ；ドル箱（遊技媒体受箱）
１；第１保持部、２；第２保持部、３；可動部材、７；ピボット
９；受皿、７０；揺動部材、１１０；主アーム、１２０；副アーム
【図１】
2006346249.tif 000003
【図２】
2006346249.tif 000004
【図３】
2006346249.tif 000005
【図４】
2006346249.tif 000006
【図５】
2006346249.tif 000007
【図６】
2006346249.tif 000008
【図７】
2006346249.tif 000009
【図８】
2006346249.tif 000010
【図９】
2006346249.tif 000011
【図１０】
2006346249.tif 000012
【図１１】
2006346249.tif 000013
【図１２】
2006346249.tif 000014
【図１３】
2006346249.tif 000015
【図１４】
2006346249.tif 000016
【図１５】
2006346249.tif 000017
【図１６】
2006346249.tif 000018
【図１７】
2006346249.tif 000019
【図１８】
2006346249.tif 000020